(57)【要約】      （修正有）【課題】大型機械内部等の狭くて視線が遮られるような空間に落としたナット等の鉄製物品を簡単に取り出せるようにしたり、或いはそのような細かな鉄製部品を取り扱う作業中に落としてしまうことを防止したりできる物品吸着具を提供する。【解決手段】指サックや手袋において、手指に被せられる指サック（鞘状部）１１と、指サックにおいて装着した手指の末節に相当する位置に設けられている磁石１２、１３を備え、磁石の磁力で、磁性材料からなる物品を指サックに吸着できるようにする。【選択図】図１
0003196577.tif 000002
【実用新案登録請求の範囲】
【請求項１】
手指に被せられる鞘状部と、該鞘状部において手指の末節に相当する位置に設けられる磁石を備えてなり、前記磁石の磁力で、磁性材料からなる物品を吸着させられるようにしたことを特徴とする物品吸着具。
【請求項２】
前記鞘状部が指サックであることを特徴とする請求項１記載の物品吸着具。
【請求項３】
前記鞘状部が手袋に備えられる指挿入部であることを特徴とする請求項１記載の物品吸着具。
【考案の詳細な説明】
【技術分野】
【０００１】
本考案は、機械内部等に落としたナット等を取り出すための、或いはそのような細かい物品を取り扱う作業中に落としてしまうことを防止するための物品吸着具に関する。
【背景技術】
【０００２】
大型機械の内部等の狭い空間に落とした細かなナット等を取り出すため、フレキシブル性がある棒の先端に磁石を備えた物品取り出し具が提案されている（例えば特許文献１参照）。
【先行技術文献】
【特許文献】
【０００３】
【特許文献１】特開平１０−２１７１５６号公報
【考案の概要】
【考案が解決しようとする課題】
【０００４】
しかし、実際には、筐体や内蔵部品で視線が遮られて物品の在りかを見られないことが多く、磁石を付けた棒にフレキシブル性があっても、その磁石を物品にうまく近づけて吸着できるとは限らず、その結果、長時間を要し、取り出しを途中断念することもある。また、狭い場所に落とした物品を取り出し易くするよりも、そもそも落下自体を防止したいという要望もある。
【０００５】
本考案は、上記事情に鑑み、ナット等の細かな鉄製部品を狭い空間に落としたときに、物品が落ちている場所を容易に見つけて取り出せるようにし、或いはそのような細かな鉄製部品を取り扱う作業中に落としてしまうことを防止できる物品吸着具を提供する。
【課題を解決するための手段】
【０００６】
請求項１は、手指に被せられる鞘状部と、該鞘状部において手指の末節に相当する位置に設けられる磁石を備えてなり、前記磁石の磁力で、磁性材料からなる物品を吸着させられるようにしたことを特徴とする物品吸着具を提供する。
【０００７】
請求項２は、前記鞘状部が指サックであることを特徴とする請求項１記載の物品吸着具を提供する。
【０００８】
請求項３は、前記鞘状部が手袋に備えられる指挿入部であることを特徴とする請求項１記載の物品吸着具を提供する。
【考案の効果】
【０００９】
本考案によれば、手指に被せられる鞘状部において、鞘状部を装着した手指の末節に相当する位置に磁石を設けたので、視線を遮られていたり、狭かったりして物を取り出しにくい空間に落とした物品も、その空間に物品吸着具を装着した手を突っ込んで、鞘状部を被せた指の末節で順次、内部を探るように動かすことにより、自然に吸着されて容易に取り出すことができるという優れた効果を奏し得る。また、細針のように摘まみ上げにくい物を落とした場合でも、磁力で吸着することにより、容易に摘まみ上げることができる。更にネジ等の物品取付け作業時に指をすべらせても物品が磁石で吸着されているために、落下自体を防止することもできる。
【図面の簡単な説明】
【００１０】
【図１】本考案に係る物品吸着具の一例を示す斜視図。
【図２】物品吸着具を使用者の手指に装着した状態を示す断面図。
【考案を実施するための形態】
【００１１】
本考案の物品吸着具は、指に被せる鞘状部に磁石を設けてなる器具であり、鞘状部のみで本体を成す指サック状のものや、複数本（例えば５本）の鞘状部を有する手袋状の本体を成すものがある。鞘状部は、指を一本ずつ被うものに限らず、ミトンのように複数本の指を一纏めに被う指挿入部や、複数本の指を挿入できる指サックも含む。なお、複数本の鞘状部を有していても、それらのすべてに磁石を設ける必要はなく、また手袋状の場合、一部の指に対応する鞘状部が備えられていなくても良い。
【００１２】
本考案の物品吸着具の鞘状部又は本体の材料として、ゴム（天然ゴム、合成ゴム）、合成樹脂（ビニール、ナイロン等）、布地（織布、不織布）、皮革（天然皮革、合成皮革）、紙、木、金属等やこれらを組み合わせたものが使用されるが、特に限定されない。但し、本体が指サック状の場合、指から容易に脱落しないよう、ゴム等の伸縮性材料で或る程度の締め代を設定しておくことが好ましい。
【００１３】
鞘状部に設ける磁石としては、フェライト磁石、ネオジム磁石、サマコバ磁石、アルニコ磁石、ゴム磁石（磁石粉末をゴムや樹脂のバインダー材に混錬したもの）等の永久磁石のほか、電磁石を使用可能である。但し、磁石の大きさ、形状、個数等は特に限定されるものでなく、鞘状部を装着した指の指先や末節に相当する位置に取り付けられる範囲で適宜設定する。なお、本考案において、指先とは、指の先端部分であり、末節とは、指の先端に最も近い関節（第一関節）から指の先端までの部分を指すものとする。
【００１４】
鞘状部に磁石を設ける方法は、鞘状部に形成した収容部（凹部、穴部）へのはめ込み、複層構造に形成した鞘状部の層間部への挟み込み、鞘状部と磁石の一体成型、鞘状部への磁石粉末の混錬、テープ・紐等による鞘状部への巻付、磁石に設けた穴を利用した縫付、接着剤による接着や、両面テープ等による貼付等を採用可能であり、設けられる磁石の大きさ、形状、個数、コスト等に応じて適宜選択される。
【００１５】
本考案の一実施例である物品吸着具１について添付図面を参照しながら説明する。物品吸着具１は、図１〜図２に示すように、使用者の手指に被せられる指サック（鞘状体）１１の外表面に複数の磁石１２，１３を固定してなる。
【００１６】
指サック１１は、天然ゴムで形成した鞘状体で、先端側の半球部１１ａと、その周縁部に連続する円筒部１１ｂと、その後端側の周縁部に一体形成した肉厚の補強リング部１１ｃを備えてなる。指サック１１は、図２に示すように、指の先端から第一関節と第二関節の中間部あたりまでを被うように密着し、補強リング部１１ｃで容易に脱落しないように指の胴部を軽く締め付けるものであり、ポケットや工具箱に入れておけば、必要なときに素早く取り出して装着することができる。なお、指サックの長さは、指の末節のみを被う程度のものや指全体を被えるものでも良い。
【００１７】
磁石１２は、直径３ｍｍ、高さ２ｍｍ程度の円柱形の粒状磁石であり、半球部１１ａの頂部（指サックの先端）に接着されており、指先と対応する位置にある。磁石１３は、直径１０ｍｍ、厚み２ｍｍ程度の円盤形の薄板状磁石であり、半球部１１ａのうち円筒部１１ｂ寄りの傾斜部に接着されており、末節の先端寄りの側面位置にある。なお、磁石１３は、指サック１１を回転させて指に対する装着向きを変えれば、指の腹側、背側（爪側）、又は側方（腹側と背側の中間位置）にもってくることができる。
【００１８】
例えばネジ等の細かな部品を指で摘まんで取り付ける作業等を行う際には、物品吸着具１を磁石１３が指の腹側にくるように向けて装着していれば、指をすべらせて部品を放してしまっても磁力で吸着されているため、下に落とさずに済ませることができる等、使用場面に応じて磁石１３の位置を変えると良い。指の先端に設けた磁石１１は、指がやっと入る程度の狭い隙間に落とした物品を取り出す際などに特に有用であるが、勿論それ以外の作業等に利用しても良い。
【符号の説明】
【００１９】
１    物品吸着具
１１    指サック
１２，１３    磁石
【図１】
0003196577.tif 000003
【図２】
0003196577.tif 000004